(57)【要約】【課題】服屋において、今まで直しをしていなかった従業員でも、早く綺麗に三つ折り端ミシンがけによるパンツの丈上が出来るようにする為のもので、お客様へのサービス向上、経費削減、を目的とし、場所を取らないために、普通の家庭用ミシンに取り付けて使用出来る手軽なもので、間違えにくく簡単に仕上げられる物を、と考えた。【解決する手段】そのために、ローラーで裾をピンと張ることにより、ゆるみを均等に分散させて撚れを防ぎ、上からは車の付いた布押さえで、左からは色々なヘム幅に対応出来るように移動可能なガイドで、左からは巻き込みながら所定の間隔で布を折り込むヘッドで規制する事により、ピン打ち、しつけなどしなくても、一定間隔のヘム幅を保ちながら、綺麗に早く縫えるようになった。【選択図】  図１
2004249026.tif 000002
【特許請求の範囲】
【請求項１】
これは筒状布の端縫いをする為のミシンの補助具であって、スライダーＩＩ（３）に引き出し可能に収納された、先に回転するローラー（９）の付いた芯棒（１５）を、筒状布がピンと張るまで引き出して固定することにより、筒状布の折り目ラインを崩すことなく、その張力で緩みを均等に分散させ、撚れなどの縫いづれを生じさせない為の筒状布を張る装置。
【請求項２】
このミシンの補助具の、前、後部布押え（１０）（１１）の付いた、筒状布が回転方向へ動くときの左右のブレを規制する左右、上下流方向へ移動可能なガイド（５）。
【請求項３】
このミシンの補助具のガイド（５）に取り付けられ、筒状布の裾縫いをする時、縫っている筒状布の前後を上から押さえる為の物で、ミシンの押え金付近の筒状布にガイドを添わせて縫う時、筒状布がガイドの側面に添って上って来たり離れて行いったりするのを防ぎ、布の厚さの違いに対応するため、下に滑りを良くする、前、後部車（１７）（１８）の付いた厚い所が来ると、バネの力で筒状布を押さえながら回転方向へ振れ、通り過ぎると元に戻るようになったミシンの補助具の、前、後部布押さえ（１０）（１１）。
【発明の詳細な説明】
【０００１】
【産業上の利用分野】
本発明は、テーブルがフリーアームになるミシンに取り付けて筒状布の端縫いをする物であって、採寸、マチ針打ち、しつけ、をせずに縫えるよう、筒状布を所定の間隔に規制しながら、自動的に折り返して縫う装置に関する。
【０００２】
【従来の技術】
実願第２００１−００６５６５で登録した筒状布を張る装置は、ギザギザに山型にカットされた芯棒を引き出して止めるストッパーが付いているが、その方法だと、耐久力が弱く、使っていくうちに緩んで来ることが解ったし、ギザギザを彫ったり、ストッパーの組立に時間がかかり、部品数も多かった。
【０００３】
ガイド部分は、実願第２００１−００６５６５では、導線棒（７）に当たる部分で、アームとガイドを一カ所で取り付けているため、アームに付けたヘッドやガイドの安定が悪く、ブレにより仕上がりに影響が出た。
【０００４】
実願第２００１−００６５６５では、筒状布を上から押える力は筒状布をピンと張る事によって得られる張力で足りると思っていたが、特に柔らかい筒状布の場合、ガイドに添って上に上って来て布がきちっとガイドに添っていてくれない事が解った。
【０００５】
【発明が解決しようとする課題】
今回の筒状布を張る装置は、ストッパーで止まる方法をストッパーの無いシンプルなものにすることにより、部品数を減らし、ストッパーの組立や、芯棒の溝を彫る工程をカットし、コストダウン、耐久力の強化を計る。
【０００６】
アームとガイドは、仕上がりを左右する所なので、グラグラしないよう改善する。
【０００７】
ガイドは、筒状布の裾折り返し部分を、布の滑りを悪くしないで押えられ、かつ厚い部分にもスムーズに対応出来る布押さえを新たに設けて改善する。
【０００８】
【課題を解決する為の手段】
上記目的を達成する為に本発明のミシンの補助具では、心棒のギザギザを無くし、ストッパーを使わないで、芯棒（１５）とスライダーの摩擦力によって止まる物にした。
【０００９】
１本のスライダーに付いていたアームとガイドを、もう１本スライダーを増やし、別々な箇所に、振れないように２カ所ずつ止めつけることにした。
【００１０】
ガイド部分は、ガイドに、滑りを良くする前、後車（１７）（１８）の付いた前、後部布押さえ（１０）（１１）を設け、ガイドに添って動いている筒状布が、ガイドに添って上がって来たり、離れていったりしないよう押さえ、筒状布の厚さの違いにも、スムーズに対応するため、厚いところが来たらミシンの回転方向へ、バネの力で筒状布を押さえながら振れ、通り過ぎるとバネの力で戻るようにした。
【００１１】
【発明の形態】
このミシンの補助具は使用するミシンにガイド（５）とヘッド（１）の位置を合わせる為のスライダーＩ（４）と、合わせた後固定するスライダーのネジ（８）、引き出して筒状布をピンと張る為の先に回転するローラー（９）の付いたスライダーＩＩ（３）、左右に移動させて筒状布の裾に添わせ、筒状布が回転方向に動く時の左右のブレを規制する為のガイド（５）、ガイドをヘム幅に合わせて左右へ移動させた後固定するガイドのネジ（７）、ヘッド（１）とガイド（５）で所定のヘム幅をたもちながら筒状布を巻き込み三折りにしていくヘッド（１）、ヘッドを上に跳ね上げさらに半回転させることで、ヘッドが邪魔になるのを防ぐ為の蝶番（１６）、筒状布を上から押えてブレを防ぎ、筒状布の厚さの違いにスムーズに対応出来る為に、布押さえをミシンの回転方向へ振らす為のバネの付いた、前、後部布押え（１０）（１１）、滑りが悪くならない為に、前、後部布押えの下に取り付けられた前、後車（１７）（１８）、ローラーに筒状布がかかっている位置が、途中で変わらない為の目安となるわっか（１３）、ミシンにミシンの補助具をはさみ付ける為の、前、後部エンド（１２）（１４）、ミシンの大きさにエンドを合わせる為のエンドのネジ（６）、などからなる。
【００１２】
【発明の効果】
本発明は以上に示したように構成されるので、ストッパーで止めるようになっていた筒状布を張る装置を、ストッパーを使わず、芯棒とスライダーの摩擦力によって止まるようにしたため、安定が良くなり、部品数や工程数の減小によるコストダウンや耐久力アップが計れた。
【００１３】
ガイドに布押えを設けたことにより、薄手の筒状布でも縫えるようになり、厚手の物も以前より綺麗に仕上がるようになった。
【００１４】
これらの事により、家庭用ミシンで縫える範囲の厚さの筒状布なら、しつけ、まち針打ち、無しで、脇縫い目の厚くなっている所の筒状布をヘッドに巻き込む時と、折山の位置がずれた時と、縫い終わり付近でヘッドを跳ね上げる時に、手を添える以外は、自動的に折り返しながら綺麗に早く裾縫いが出来るようになった。
【図面の簡単な説明】
【図１】部位の名称を示す平面図である
【図２】可動部分を示す平面図である
【図３】左側からの斜視図である
【図４】ミシンの補助具をミシンに取り付けた時の斜視図である
【図５】ガイドに付いた布押えの、バネによる動きを示す図である
【図６】右側からの斜視図である
【符号の説明】
１．ヘッド
２．アーム
３．スライダーＩＩ
４．スライダーＩ
５．ガイド
６．エンドのネジ
７．ガイドのネジ
８．スライダーのネジ
９．ローラー
１０．前部布押え
１１．後部布押え
１２．前部エンド
１３．わっか
１４．後部エンド
１５．芯棒
１６．ヘッドの蝶番
１７．前車
１８，後車
【図１】
2004249026.tif 000003
【図２】
2004249026.tif 000004
【図３】
2004249026.tif 000005
【図４】
2004249026.tif 000006
【図５】
2004249026.tif 000007
【図６】
2004249026.tif 000008